Podtech/llm-jp-corpus-v4-ja_patent huggingface dataset:
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
車体側に固定される静止輪と、
静止輪に対向して設けられ且つ車輪側に配された車輪側構成品が固定されて車輪と共に回転する回転輪と、
当該回転輪と静止輪のそれぞれの対向面に形成される軌道面間に転動自在に組み込まれた複数の転動体と、
回転輪から外方に向かって延出された円板状のハブフランジとを備え、ハブフランジには、周方向に沿って所定間隔で孔が、当該フランジの車輪側から車体側にわたって貫通して形成されており、当該孔に対してハブボルトを車輪側から挿入することで、車輪側構成品をハブフランジに固定する軸受ユニットにおいて、
孔には、前記ハブボルトが螺合可能な内径面を有する円筒部材が嵌合されており、前記車輪側構成品とハブボルトと円筒部材のそれぞれの材質のうち、少なくとも、車輪側構成品とハブボルトの材質は互いに同じ材質であることを特徴とする軸受ユニット。
【請求項２】
円筒部材の車輪側の端面が、フランジの車輪側の端面と同一平面上に位置付けられていることを特徴とする請求項１に記載の軸受ユニット。
【請求項３】
円筒部材の車輪側の端面が、フランジの車輪側の端面から所定量だけ、車輪側に向けて突出していることを特徴とする請求項１に記載の軸受ユニット。
【請求項４】
円筒部材の車輪側の端面は、フランジの車輪側の端面に沿って延在し、互いに連結していることを特徴とする請求項２又は請求項３に記載の軸受ユニット。
【請求項５】
円筒部材の車輪側の端面には、車輪側構成品をハブフランジに固定する際の位置決めとして、車輪側に向けて延出した延出部が一体形成されていることを特徴とする請求項４に記載の軸受ユニット。
【請求項６】
円筒部材が嵌合するハブフランジの孔の嵌合面と、ハブフランジの孔に嵌合する円筒部材の嵌合面とのいずれか若しくは双方には、絶縁防錆加工が施されていることを特徴とする請求項１乃至請求項５のいずれかに記載の軸受ユニット。
【手続補正２】
【補正対象書類名】明細書
【補正対象項目名】００１５
【補正方法】変更
【補正の内容】
【００１５】
上記課題を達成するために、本発明が成した手段は、車体側に固定される静止輪と、静止輪に対向して設けられ且つ車輪側に配された車輪側構成品が固定されて車輪と共に回転する回転輪と、当該回転輪と静止輪のそれぞれの対向面に形成される軌道面間に転動自在に組み込まれた複数の転動体と、回転輪から外方に向かって延出された円板状のハブフランジとを備え、ハブフランジには、周方向に沿って所定間隔で孔が、当該フランジの車輪側から車体側にわたって貫通して形成されており、当該孔に対してハブボルトを車輪側から挿入することで、車輪側構成品をハブフランジに固定する軸受ユニットにおいて、孔には、前記ハブボルトが螺合可能な内径面を有する円筒部材が嵌合されており、前記車輪側構成品とハブボルトと円筒部材のそれぞれの材質のうち、少なくとも、車輪側構成品とハブボルトの材質は互いに同じ材質であることを特徴とする軸受ユニットとしたことである。その円筒部材の車輪側の端面は、フランジの車輪側の端面と同一平面上に位置付けられている場合もあり、フランジの車輪側の端面から所定量だけ、車輪側に向けて突出している場合もあり、フランジの車輪側の端面に沿って延在し、互いに連結している場合もある。さらに、円筒部材の車輪側の端面には、車輪側構成品をハブフランジに固定する際の位置決めとして、車輪側に向けて延出した延出部が一体形成されている場合もある。また、  円筒部材が嵌合するハブフランジの孔の嵌合面と、ハブフランジの孔に嵌合する円筒部材の嵌合面とのいずれか若しくは双方には、絶縁防錆加工が施されている場合もある。
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
所定の入球口への遊技球の入球が検出されると、当否乱数を抽出し、該当否乱数が予め設定した所定値と同一か否かに基づいて大当たりか否かを判ずる当否判定を実行する主制御装置と、当否判定の実行に応じて上記主制御装置から出力される制御コマンドを受けて、該制御コマンドが指示する制御内容にて、表示部を含む演出手段を制御する副制御装置とを有し、当否判定が実行されると、上記表示部で、表示図柄を変動させた後、静止せしめる図柄変動表示を実行して、静止し確定した図柄の種類により上記当否判定の結果を報知するとともに、図柄変動表示の実行中の上記入球口への入球に応じて抽出された当否乱数を上記主制御装置に記憶して、先に抽出された当否乱数に対応する図柄変動表示が終了するまで、後で抽出された当否乱数に対応する図柄変動表示の実行を保留する弾球遊技機において、
上記主制御装置は、上記所定の入球口への遊技球の入球が検出された際に、該検出に起因して上記抽出された当否乱数と所定値とを比較する記憶乱数判定を実行するとともに、該記憶乱数判定の結果に応じて、同一の保留記憶数に対して上記記憶乱数判定の結果の異なる箇所信号のうちのいずれかを出力することを特徴とする弾球遊技機。
【請求項２】
請求項１記載の弾球遊技機において、上記副制御装置は、上記箇所信号の受信に基づいて上記記憶乱数判定の結果を識別し、上記記憶乱数判定が肯定判断のときに出力される上記箇所信号であると、上記記憶乱数判定が肯定判断された当否乱数に対応する図柄変動表示、および該図柄変動表示に先立って実行される図柄変動表示における図柄の変動態様として、同系統の変動態様を選択するように設定した弾球遊技機。
【請求項３】
請求項１記載の弾球遊技機において、上記副制御装置は、上記箇所信号の受信に基づいて上記記憶乱数判定の結果を識別し、上記記憶乱数判定が肯定判断のときに出力される上記箇所信号であると、上記記憶乱数判定が肯定判断された当否乱数に対応する図柄変動表示、および該図柄変動表示に先立って実行される図柄変動表示における図柄の変動態様として、異系統でかつ互いに関連のある変動態様を選択するように設定した弾球遊技機。
【請求項４】
請求項１ないし３いずれか記載の弾球遊技機において、上記副制御装置は、上記主制御装置から出力される制御コマンドに応じて上記図柄の変動表示を行う際の演出態様を選択するとともに、該演出態様に応じた音出力態様および光出力態様を選択することを特徴とする弾球遊技機。
【手続補正２】
【補正対象書類名】明細書
【補正対象項目名】００１３
【補正方法】変更
【補正の内容】
【００１３】
請求項１記載の発明では、所定の入球口への遊技球の入球が検出されると、当否乱数を抽出し、該当否乱数が予め設定した所定値と同一か否かに基づいて大当たりか否かを判ずる当否判定を実行する主制御装置と、当否判定の実行に応じて上記主制御装置から出力される制御コマンドを受けて、該制御コマンドが指示する制御内容にて、表示部を含む演出手段を制御する副制御装置とを有し、当否判定が実行されると、上記表示部で、表示図柄を変動させた後、静止せしめる図柄変動表示を実行して、静止し確定した図柄の種類により上記当否判定の結果を報知するとともに、図柄変動表示の実行中の上記入球口への入球に応じて抽出された当否乱数を上記主制御装置に記憶して、先に抽出された当否乱数に対応する図柄変動表示が終了するまで、後で抽出された当否乱数に対応する図柄変動表示の実行を保留する弾球遊技機において、上記主制御装置は、上記所定の入球口への遊技球の入球が検出された際に、該検出に起因して上記抽出された当否乱数と所定値とを比較する記憶乱数判定を実行するとともに、該記憶乱数判定の結果に応じて、同一の保留記憶数に対して上記記憶乱数判定の結果の異なる箇所信号のうちのいずれかを出力する。
【手続補正３】
【補正対象書類名】明細書
【補正対象項目名】００１４
【補正方法】変更
【補正の内容】
【００１４】
副制御装置において、上記箇所信号を受信することによって、保留された図柄変動表示の中に大当たりとなるものが含まれていることが知られるので、実質的に、当否判定の結果を、複数回の図柄変動表示により演出することが可能となり、遊技者を飽きさせず、より興趣豊かな遊技を提供することができる。しかも、当否判定の結果自体は各図柄変動表示ごとに出るから、スピード感も損なわない。
【手続補正４】
【補正対象書類名】明細書
【補正対象項目名】００１５
【補正方法】変更
【補正の内容】
【００１５】
請求項２記載の発明では、請求項１の発明の構成において、上記副制御装置は、上記箇所信号の受信に基づいて上記記憶乱数判定の結果を識別し、上記記憶乱数判定が肯定判断のときに出力される上記箇所信号であると、上記記憶乱数判定が肯定判断された当否乱数に対応する図柄変動表示、および該図柄変動表示に先立って実行される図柄変動表示における図柄の変動態様として、同系統の変動態様を選択するように設定する。
【手続補正５】
【補正対象書類名】明細書
【補正対象項目名】００１７
【補正方法】変更
【補正の内容】
【００１７】
請求項３記載の発明では、請求項１の発明の構成において、上記副制御装置は、上記箇所信号の受信に基づいて上記記憶乱数判定の結果を識別し、上記記憶乱数判定が肯定判断のときに出力される上記箇所信号であると、上記記憶乱数判定が肯定判断された当否乱数に対応する図柄変動表示、および該図柄変動表示に先立って実行される図柄変動表示における図柄の変動態様として、異系統でかつ互いに関連のある変動態様を選択するように設定する。
【手続補正６】
【補正対象書類名】明細書
【補正対象項目名】００１９
【補正方法】変更
【補正の内容】
【００１９】
請求項４記載の発明では、請求項１ないし３の発明の構成において、上記副制御装置は、上記主制御装置から出力される制御コマンドに応じて上記図柄の変動表示を行う際の演出態様を選択するとともに、該演出態様に応じた音出力態様および光出力態様を選択することを特徴とする。
【手続補正７】
【補正対象書類名】明細書
【補正対象項目名】００２０
【補正方法】変更
【補正の内容】
【００２０】
副制御装置は自身が選択した変動態様に応じて発光態様および音出力態様を選択することができるから、図柄変動表示と音出力または光出力との両方が実質的に副制御装置の元で制御されることになるので、遊技者の期待感の高まりに応じた最も変動態様に適合した態様とすることができ、画像、光、音の３つが調和した演出効果を発揮する。
【手続補正書】
【提出日】平成22年1月7日(2010.1.7)
【手続補正１】
【補正対象書類名】明細書
【補正対象項目名】００５７
【補正方法】変更
【補正の内容】
【００５７】
またオーバーフローチューブ５５が、前記ブリーザチューブ４８の彎曲部４８ａの内側を通るように配索されるので、ブリーザチューブ４８と絡まないようにしてブリーザチューブ４８の彎曲部４８ａ内の空きスペースにオーバーフローチューブ５５を配索することができる。
【手続補正書】
【提出日】平成22年1月7日(2010.1.7)
【手続補正１】
【補正対象書類名】明細書
【補正対象項目名】０００１
【補正方法】変更
【補正の内容】
【０００１】
本発明は、車体フレームが、操向ハンドルおよびフロントフォークを操向可能に支承するヘッドパイプと、該ヘッドパイプから後下がりに延びるとともに少なくとも一部が燃料通路を形成する中空のメインパイプとを備え、前記燃料通路に燃料を供給するための給油パイプが前記メインパイプに接続され、前記給油パイプから前記燃料通路を経て給油される燃料タンクが前記メインパイプの下部に接続される小型車両に関する。
【手続補正２】
【補正対象書類名】明細書
【補正対象項目名】０００５
【補正方法】変更
【補正の内容】
【０００５】
上記目的を達成するために、請求項１記載の発明は、車体フレームが、操向ハンドルおよびフロントフォークを操向可能に支承するヘッドパイプと、該ヘッドパイプから後下がりに延びるとともに少なくとも一部が燃料通路を形成する中空のメインパイプとを備え、前記燃料通路に燃料を供給するための給油パイプが前記メインパイプに接続され、前記給油パイプから前記燃料通路を経て給油される燃料タンクが前記メインパイプの下部に接続される小型車両において、前記給油パイプの前記メインパイプへの接続部よりも上方で前記メインパイプに空気抜き口が設けれられることを特徴とする。
【手続補正３】
【補正対象書類名】明細書
【補正対象項目名】００６５
【補正方法】変更
【補正の内容】
【００６５】
またオーバーフローチューブ５５が、前記ブリーザチューブ４８の彎曲部４８ａの内側を通るように配索されるので、ブリーザチューブ４８と絡まないようにしてブリーザチューブ４８の彎曲部４８ａ内の空きスペースにオーバーフローチューブ５５を配索することができる。
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
５％圧縮時の圧縮応力が０．０１ＭＰａ以上１ＭＰａ以下、１０％圧縮時の圧縮応力が０．０３ＭＰａ以上３ＭＰａ以下、および１５％圧縮時の圧縮応力が０．０６ＭＰａ以上５ＭＰａ以下である多孔質担体。
【請求項２】
官能基数が２以上であり、最も離れている官能基間の原子数が６以上である架橋剤により架橋された、請求項１に記載の多孔質担体。
【請求項３】
官能基間に水酸基が存在している架橋剤により架橋されたことを特徴とする、請求項１または２のいずれか一項に記載の多孔質担体。
【請求項４】
水溶率が５０％以上である架橋剤により架橋されたことを特徴とする、請求項１〜３のいずれか一項に記載の多孔質担体。
【請求項５】
粘度が１００ｍＰａ・ｓ以上５００００ｍＰａ・ｓ以下である架橋剤により架橋されたことを特徴とする、請求項１〜４のいずれか一項に記載の多孔質担体。
【請求項６】
官能基当量が１００以上６００以下である架橋剤により架橋されたことを特徴とする、請求項１〜５のいずれか一項に記載の多孔質担体。
【請求項７】
グリシジルエーテル系化合物である架橋剤により架橋されたことを特徴とする、請求項１〜６のいずれか一項に記載の多孔質担体。
【請求項８】
架橋剤により架橋された多孔質担体であり、架橋剤の使用量が担体の体積の０．０１倍以上１０倍以下であることを特徴とする、請求項１〜７のいずれか一項に記載の多孔質担体。
【請求項９】
多孔質担体が多糖類を含有することを特徴とする、請求項１〜８のいずれか一項に記載の多孔質担体。
【請求項１０】
多孔質担体がセルロースまたはセルロース誘導体を含有することを特徴とする、請求項１〜９のいずれか一項に記載の多孔質担体。
【請求項１１】
請求項１〜１０のいずれか一項に記載の多孔質担体が、ホルミル基を含有することを特徴とする多孔質担体。
【請求項１２】
体積平均粒径が２０μｍ以上３００μｍ以下であることを特徴とする、請求項１〜１１のいずれか一項に記載の多孔質担体。
【請求項１３】
請求項１〜１２のいずれか一項に記載の多孔質担体の製造方法。
【請求項１４】
請求項１〜１２のいずれか一項に記載の多孔質担体を用いた精製用吸着体。
【請求項１５】
アフィニティーリガンドとしてプロテインＡが導入されたことを特徴とする、請求項１４に記載の精製用吸着体。
【請求項１６】
請求項１４または１５のいずれか一項に記載の精製用吸着体の製造方法。
【請求項１７】
請求項１４または１５のいずれか一項に記載の精製用吸着体を用いた精製方法。
【請求項１８】
直径２ｃｍ以上及び高さ５ｃｍ以上のカラムを用いることを特徴とする、請求項１７に記載の精製方法。
【請求項１９】
線速３００ｃｍ／ｈ以上で通液する工程を有することを特徴とする、請求項１７または１８のいずれか一項に記載の精製方法。
【手続補正書】
【提出日】平成22年4月20日(2010.4.20)
【手続補正１】
【補正対象書類名】明細書
【補正対象項目名】００２０
【補正方法】変更
【補正の内容】
【００２０】
以下、本発明について図面を用いて詳細に説明する。図１は、本発明の第１実施形態に係る有機物含有水の嫌気性処理装置（以下、単に「処理装置」という）１の模式図である。処理装置１は、反応槽２０を備え、澱粉貯槽１１と澱粉添加路１２を備える。反応槽２０には、被処理液である有機物含有水が導入される被処理液路３１、処理済の液が取り出される処理液路３２、および発生したガスが取り出されるガス路３３が接続されている。
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンであって、
ゲーム毎に前記可変表示装置の表示結果が導出されるより前に、遊技者にとって有利な特別遊技状態への移行を伴う特別表示結果と該特別表示結果とは異なる有利表示結果と複数種類の不利表示結果とを含む入賞表示結果の導出を許容するか否かを決定する事前決定手段と、
前記識別情報の変動表示を停止させるために遊技者により操作される停止操作手段と、
前記事前決定手段の決定結果と前記停止操作手段の操作手順とに応じて前記可変表示装置に表示結果を導出させる導出制御手段と、
前記可変表示装置の表示結果として前記特別表示結果が導出されたときに、所定の終了条件が成立するまで前記特別遊技状態に遊技状態を制御する特別遊技状態制御手段と、
前記特別遊技状態の終了を含む予め定められた初期条件が成立したときに、初期遊技状態に遊技状態を制御する初期遊技状態制御手段と、
前記初期遊技状態において前記可変表示装置の表示結果として前記有利表示結果が導出されたときに、前記特別遊技状態とは異なる遊技者にとって有利な有利状態に遊技状態を制御する有利状態制御手段と、
前記事前決定手段により前記特別表示結果の導出を許容する旨が決定されたか否かに関わらずに、前記有利状態制御手段により前記有利状態に制御された後に消化したゲーム数が予め定められた所定ゲーム数となったときに、該有利状態を終了させる有利状態終了手段と、
前記初期遊技状態において前記可変表示装置の表示結果として前記複数種類の不利表示結果の何れかが導出されたときに、前記有利状態よりも遊技者にとって不利な不利状態に遊技状態を制御する不利状態制御手段と、
前記初期遊技状態において所定の条件が成立しているときにおいて前記事前決定手段により何れかの種類の不利表示結果の導出を許容する旨が決定されたときに、該種類の不利表示結果の導出を回避するための操作手順を特定可能な情報を遊技者に報知する不利回避手順報知手段とを備え、
前記導出制御手段は、
所定の種類の不利表示結果を導出させる操作手順として所定の操作手順を定めるとともに、前記可変表示装置に表示結果を導出させる際に遊技者が行い得る全ての操作手順から前記所定の操作手順を除いた操作手順を前記所定の種類の不利表示結果以外の不利表示結果を導出させるための操作手順として定め、
前記事前決定手段により前記複数種類の不利表示結果のうちの第１種類の不利表示結果の導出を許容する旨が決定され、第１手順で前記停止操作手順が操作されたときには該第１種類の不利表示結果を導出させ、該第１手順以外の手順で前記停止操作手段が操作されたときには該第１種類の不利表示結果以外の表示結果を導出させる第１不利表示結果導出手段と、
前記事前決定手段により前記複数種類の不利表示結果のうちの第２種類の不利表示結果の導出を許容する旨が決定され、第２手順で前記停止操作手段が操作されたときには該第２種類の不利表示結果を導出させ、該第２手順以外の前記第１手順を含む手順で前記停止操作手段が操作されたときには該２種類の不利表示結果以外の表示結果を導出させる第２不利表示結果導出手段とを含む
ことを特徴とするスロットマシン。
【手続補正２】
【補正対象書類名】明細書
【補正対象項目名】００２２
【補正方法】変更
【補正の内容】
【００２２】
ここでは、上記スロットマシンは、
画像を表示可能な画像表示装置（液晶表示器４）と、
前記特定遊技状態に制御されているゲームにおいて１ゲームよりも長い連続演出期間の間で継続し、該特定遊技状態の終了するゲームにおいて終了する連続演出（連続演出）と、ゲーム終了後に遊技が進行されていない状態が継続したときに実行されるデモ演出（デモ演出）とを含む前記画像表示装置への画像の表示による複数種類の演出にそれぞれ対応する複数種類の画像演出データ（演出データ）を予め格納した画像演出データ格納手段（図６：ＲＯＭ１２３）と、
データを読み書き可能に記憶する手段であって、前記複数種類の画像演出データのうちで実行中の演出に対応する画像演出データが書き込まれる実行演出データ領域（実行演出データ領域１２２−３）と、該実行演出データ領域に書き込まれた画像演出データに基づいて作成される前記画像表示装置に表示すべき画像を示す表示画像データが書き込まれる画像データ領域（フレームバッファ１２２−４）を含む画像演出データ記憶手段（ＲＡＭ１２２）と、
前記画像データ領域に書き込まれた表示画像データに従って前記連続演出及び前記デモ演出を含む前記画像表示装置への画像の表示による演出の実行を制御し、該画像データ領域に書き込まれた表示画像データに応じた画像信号を出力して前記画像表示装置に画像を表示させる演出制御手段（演出制御基板１０２：ＣＰＵ１２１）とをさらに備え、
前記演出制御手段は、
前記有利状態において所定の条件が成立したときに、前記連続演出を開始する旨を決定する連続演出決定手段（ステップＳ４６７）と、
前記連続演出決定手段により前記連続演出を開始する旨が決定されたときに、前記画像演出データ格納手段から前記連続演出の画像演出データを読み出し、該読み出した連続演出の画像演出データを前記実行演出データ領域に書き込む連続演出データ書込手段（ステップＳ４６８）と、
ゲームが終了した後に前記画像演出データ格納手段から前記デモ演出の画像演出データを読み出し、該読み出したデモ演出の画像演出データを前記実行演出データ領域に書き込むデモ演出データ書込手段（ステップＳ４８９）と、
前記連続演出データ書込手段が前記実行演出データ領域に前記連続演出の画像演出データを書き込んだ後から前記有利状態が終了するまでの間、前記デモ演出データ書込手段が前記実行演出データ領域に前記デモ演出の画像演出データを書き込むことを禁止するデモ演出禁止手段（ステップＳ４６５（ＹＥＳ）：遊技状態がＲＴ２で残りゲーム数が３ゲーム以下のときはステップＳ４５６でデモ無効フラグが消去されない）とを含むものとすることができる。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、遊技価値の投入と遊技者の始動操作とにより複数の前記可動表示体の変動を開始させ、全ての前記可動表示体の停止操作が受け付けられると、前記図柄表示部内に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、変動する複数の前記可動表示体の変動停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
所定期間に消費される遊技価値の総数の多い通常遊技状態に比べて、前記消費される遊技価値の総数の少ない有利遊技状態にてゲームの進行を制御する有利遊技状態制御手段と、
特定の条件が成立すると前記有利遊技状態制御手段による遊技状態の制御を開始させる有利遊技状態開始手段と
を備え、
前記内部抽選の結果として選び出される当選役には、当該内部抽選の結果が当該ゲーム限りで破棄される第２当選役に対応する遊技特典のみを包含する単独当選役と、前記第２当選役及び当該内部抽選の結果が当該ゲームにて破棄されず当該ゲームの後にも持ち越すことのできる第１当選役、それぞれに対応する遊技特典の双方をともに包含する共益当選役と、が少なくとも含まれており、
前記有利遊技状態制御手段は、
前記共益当選役及び前記単独当選役に共通する当選役である前記第２当選役に対応する図柄の組み合わせ態様が表示されたと前記当選役図柄表示判定手段により判定されるまで、前記有利遊技状態を継続させる条件継続手段を有する
ことを特徴とする遊技機。
【請求項２】
前記可動表示体停止制御手段は、
前記内部抽選の結果として前記第２当選役が選び出された場合、前記第２当選役に対応する図柄の組み合わせ態様を前記図柄表示部内に導出させる前記可動表示体の回転停止を制御する第２当選役表示停止制御手段を有する
請求項１に記載の遊技機。
【請求項３】
前記第１当選役に対応する図柄の組み合わせ態様が表示されたと前記当選役図柄表示判定手段により判定された場合、前記通常遊技状態に比べて所定期間にて遊技価値の付与される機会を増加させた特別遊技状態にてゲームの進行を制御する特別遊技状態制御手段をさらに備え、
前記有利遊技状態制御手段は、
前記内部抽選の結果として前記第１当選役が選び出されるまで、前記有利遊技状態を継続させる第１条件継続手段をさらに有する
請求項１または請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、遊技価値の投入と遊技者の始動操作とにより複数の前記可動表示体の変動を開始させ、全ての前記可動表示体の停止操作が受け付けられると、前記図柄表示部内に１回のゲームの結果を表示する遊技機であって、
１回のゲームごとに予め決められた複数の当選役及びハズレ役の中からいずれかを選び出す抽選を行う内部抽選手段と、
前記内部抽選手段による内部抽選の結果に基づいて、変動する複数の前記可動表示体の変動停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
所定期間に消費される遊技価値の総数の多い通常遊技状態に比べて、前記消費される遊技価値の総数の少ない第１有利遊技状態と、前記第１有利遊技状態と酷似した第２有利遊技状態とのいずれかにてゲームの進行を制御する有利遊技状態制御手段と、
特定の条件が成立すると前記有利遊技状態制御手段による遊技状態の制御を開始させる有利遊技状態開始手段と
を備え、
前記有利遊技状態開始手段は、
前記特定の条件として、当該内部抽選の結果が当該ゲームにて破棄されず当該ゲームの後にも持ち越すことのできる第１当選役が前記内部抽選の結果として選び出されると、前記有利遊技状態制御手段により前記第１有利遊技状態にて遊技状態の制御を開始する第１条件開始手段と、
前記特定の条件として、当該内部抽選の結果が当該ゲーム限りで破棄される第２当選役が前記内部抽選の結果として選び出されると、前記有利遊技状態制御手段により前記第２有利遊技状態にて遊技状態の制御を開始する第２条件開始手段と
を有する
ことを特徴とする遊技機。
【請求項２】
前記有利遊技状態制御手段は、
前記第１条件開始手段により前記第１有利遊技状態が開始となった場合、前記第１当選役に対応する図柄の組み合わせ態様が表示されたと前記当選役図柄表示判定手段により判定されるまで、前記有利遊技状態を継続させる
請求項１に記載の遊技機。
【請求項３】
前記有利遊技状態制御手段は、
前記第２条件開始手段により前記第２有利遊技状態が開始となった場合、所定期間だけ前記有利遊技状態を継続させる
請求項１または請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
表面に複数種類の図柄を含む環状の図柄列が形成された複数の可動表示体を備えた図柄変動表示装置を備え、前記図柄変動表示装置は前記複数の可動表示体を回転させて図柄の表示を変動させる一方、前記複数の可動表示体の回転を停止させて前記各可動表示体について前記図柄列の一部を構成する所定個数分の図柄群を前記図柄変動表示装置内の所定箇所に表示可能とする図柄表示部を有し、遊技価値の投入と遊技者の始動操作とにより複数の前記可動表示体の変動を開始させ、全ての前記可動表示体の停止操作が受け付けられると、前記図柄表示部に１回のゲームの結果を表示する遊技機であって、
ゲームの進行に伴う複数の演出態様を遊技機の外部に向けて実行する演出実行手段と、
前記複数の演出態様からゲームの進行に応じた演出態様を選択する演出態様選択手段と、
１回のゲームごとに予め決められた複数の当選役及びハズレ役の中いずれかを選び出す抽選を行う内部抽選手段と、
前記内部抽選手段による内部抽選の結果に基づいて、回転する複数の前記可動表示体の回転停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する判定表示位置決定手段と、
全ての前記可動表示体が停止した場合、前記判定表示位置決定手段により決定された前記判定表示位置に前記当選役に対応する図柄の組み合わせ態様が表示されたか否かを判定する図柄表示態様判定手段と
を備え、
前記当選役には、全て同種類の図柄からなる組み合わせ態様に対応する同種図柄揃役と、前記ハズレ役とは別に、少なくとも複数種類の図柄からなる特定の組み合わせ態様に対応する異種図柄揃役とが少なくとも含まれており、
前記図柄表示態様判定手段により前記同種図柄揃役に対応する組み合わせ態様が表示されたことが判定されると、所定数の遊技価値を付与する遊技価値付与手段と、
前記図柄表示態様判定手段により前記異種図柄揃役に対応する組み合わせ態様が表示されたことが判定されると、１回のゲームに必要な最小単位数の遊技価値を付与する最小単位遊技価値付与手段と
をさらに備え、
前記演出実行手段は、
前記同種図柄揃役に対応する図柄の組み合わせ態様が表示された場合には当該当選役を知らせる特別演出を実行させ、前記異種図柄揃役に対応する図柄の組み合わせ態様が表示された場合には前記ハズレ役となった場合に実行するハズレ演出を実行させる
ことを特徴とする遊技機。
【請求項２】
前記当選役として、さらに所定の図柄を少なくとも１つ含むだけで他の図柄は任意でよい図柄の組み合わせ態様に対応する単図柄揃役を有し、前記遊技価値付与手段は、前記図柄表示態様判定手段により前記単図柄揃役に対応する組み合わせ態様が表示されたことが判定された場合にも、所定数の遊技価値を付与する
請求項１に記載の遊技機。
【請求項３】
前記最小単位遊技価値付与手段は、
１回のゲームに必要な最小単位数の遊技価値として数量１の遊技価値を付与する
る請求項１または請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、遊技価値の投入と遊技者の始動操作とにより複数の前記可動表示体の変動を開始させ、全ての前記可動表示体の停止操作が受け付けられると、前記図柄表示部内に１回のゲームの結果を表示する遊技機であって、
ゲームの進行に伴う複数の演出態様を遊技機の外部に向けて実行する演出実行手段と、
前記複数の演出態様からゲームの進行に応じた演出態様を選択する演出態様選択手段と、
１回のゲームごとに予め決められた複数のゲーム結果の中からいずれかを選び出す抽選を行う内部抽選手段と、
前記内部抽選手段による内部抽選の結果に基づいて、変動する複数の前記可動表示体の変動停止を制御する可動表示体停止制御手段と、
前記図柄表示部内に表示された所定個数分の図柄群を複数の前記可動表示体にまたがって見た場合に、各々の前記可動表示体について少なくとも１つの図柄を選び出してできる組み合わせのうち、前記複数のゲーム結果のいずれかに対応する図柄の組み合わせ態様が表示されたときにその組み合わせ態様を有効とする表示位置を決定する判定表示位置決定手段と、
全ての前記可動表示体が停止した場合、前記判定表示位置決定手段により決定された前記判定表示位置に全て同種類の図柄からなる組み合わせ態様が表示されたか否かを判定する図柄表示態様判定手段と、
前記図柄表示態様判定手段により全て同種類の図柄からなる組み合わせ態様が表示されたことが判定されると、所定数の遊技価値を付与する遊技価値付与手段と
を備え、
前記図柄表示態様判定手段は、
前記判定表示位置に全て同種類の図柄からなる組み合わせ態様が表示されなかった場合、少なくとも複数種類の図柄からなる特定の組み合わせ態様が表示されたか否かを判定する特定図柄表示態様判定手段を有し、
前記特定図柄表示態様判定手段により前記特定の組み合わせ態様が表示されたことが判定されると、１回のゲームに必要な最小単位数の遊技価値を付与する最小単位遊技価値付与手段をさらに備え、
前記演出実行手段は、
前遊技価値付与手段が所定数の遊技価値の付与を実行する場合には当該遊技価値の付与が実行されていることを知らせる特別演出を実行させ、前記最小単位遊技価値付与手段が最小単位数の遊技価値の付与を実行する場合には当該遊技価値の付与が実行されていることを知らせない通常演出を実行させる
ことを特徴とする遊技機。
【請求項２】
前記最小単位遊技価値付与手段は、
１回のゲームに必要な最小単位数の遊技価値として数量１の遊技価値を付与する
請求項１に記載の遊技機。
【請求項３】
前記図柄表示態様判定手段は、
前記判定表示位置に少なくとも所定の図柄を１つ含むだけで他の図柄は任意でよい図柄の組み合わせ態様が表示されたか否かを判定する所定図柄表示態様判定手段をさらに備え、前記所定図柄表示態様判定手段により少なくとも所定の図柄を１つ含み他は任意の図柄である図柄の組み合わせ態様が表示されたことが判定されると、所定数の遊技価値を付与する所定遊技価値付与手段をさらに有する
請求項１または請求項２に記載の遊技機。
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
制御基板を搭載する基板ユニットが遊技盤の裏面側に配設され、
前記基板ユニットが、第１ケースと第２ケースとの間に制御基板を収容した構成を有する基板ケースを備え、
前記第１ケースと第２ケースとが、外部との電波の送受信が可能に構成されたシールを貼付することにより封印された遊技機であって、
前記シールの少なくとも一部がカバー部材で覆われ、該シールとカバー部材との間に間隙が形成されていることを特徴とする遊技機。
【請求項２】
前記第１ケースおよび第２ケースの一端縁部分に突起部が形成されて該突起部にシールが貼付され、この突起部に前記カバー部材が取り付けられる構造となっていることを特徴とする請求項１に記載の遊技機。
【請求項３】
前記カバー部材が、前記突起部の外郭形状にほぼ対応する形状を有し該突起部を内包し得る内腔部を備えるものであることを特徴とする請求項２に記載の遊技機。
【請求項４】
前記カバー部材が、シールを覆い得る位置に着脱可能に取り付けられていることを特徴とする請求項１から請求項３のいずれかに記載の遊技機。
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
プラテンに形成された複数の凹部と、記録媒体を前記凹部に引き込むように吸引孔から吸引する吸引手段と、を備え、前記プラテン上を搬送される記録媒体に記録ヘッドからインクを吐出して記録を行うインクジェット記録装置において、
前記凹部を搬送上流側部分と搬送下流側部分に仕切る作動位置と、該搬送上流側部分と該搬送下流側部分を連通する退避位置と、の間で移動可能な仕切部材を設け、
記録媒体の先端が前記凹部の搬送下流側の端部より搬送上流側に位置するとき、前記作動位置にある前記仕切部材に記録媒体が接触することより、前記凹部を搬送上流側部分と搬送下流側部分に仕切り、
記録媒体の先端が前記凹部の搬送下流側の端部を通過したとき、前記仕切部材を前記退避位置へ移動させることにより、前記凹部の搬送上流側部分と搬送下流側部分を連通することを特徴とするインクジェット記録装置。
【請求項２】
前記作動位置にある仕切部材に記録媒体が接触することにより、前記凹部の前記吸引孔を含む部分を密閉することを特徴とする請求項１に記載のインクジェット記録装置。
【請求項３】
前記仕切部材は記録媒体に対し垂直方向に移動可能な板状の部材であることを特徴とする請求項２に記載のインクジェット記録装置。
【請求項４】
前記仕切部材は前記凹部の内部に回転可能に支持された板状の部材であることを特徴とする請求項２に記載のインクジェット記録装置。
【請求項５】
プラテンに形成された複数の凹部と、記録媒体を前記凹部に引き込むように吸引孔から吸引する吸引手段と、を備え、前記プラテン上を搬送される記録媒体に記録ヘッドからインクを吐出して記録を行うインクジェット記録装置において、
前記凹部の搬送下流側の端部に沿って、前記プラテン上の記録媒体と接触可能な作動位置と該記録媒体から離間した退避位置との間で移動可能な仕切部材を設け、
前記作動位置にある前記仕切部材に記録媒体の先端部を接触させて前記凹部を密閉し、記録媒体の先端が前記凹部の搬送下流側の端部を通過したとき、前記仕切部材を前記退避位置へ移動させることを特徴とするインクジェット記録装置。
【請求項６】
前記作動位置にある仕切部材に記録媒体が接触することにより、前記凹部の前記吸引孔を含む部分を密閉することを特徴とする請求項５に記載のインクジェット記録装置。
【請求項７】
前記仕切部材は記録媒体に対し垂直方向に移動可能なブロック状の部材であることを特徴とする請求項６に記載のインクジェット記録装置。
【請求項８】
プラテンに形成された複数の凹部と、記録媒体を前記凹部に引き込むように吸引する吸引手段と、を備え、前記プラテン上を搬送される記録媒体に記録ヘッドからインクを吐出して記録を行うインクジェット記録装置において、
前記凹部の搬送下流側の端面を形成しながら、記録媒体の先端部に記録するときの該記録媒体に接触可能な上流位置と、該上流位置から紙送り方向へ所定距離通過した下流位置との間で、記録媒体の紙送りに追従して移動可能な仕切部材を設け、
前記上流位置にある前記仕切部材に記録媒体の先端部を接触させて前記凹部を密閉し、該凹部の密閉を維持しながら該仕切部材を前記下流位置まで移動させることを特徴とするインクジェット記録装置。
【請求項９】
前記上流位置にある仕切部材に記録媒体が接触することにより、前記凹部の前記吸引孔を含む部分を密閉することを特徴とする請求項８に記載のインクジェット記録装置。
【請求項１０】
前記凹部は搬送下流側の端部が開放され、前記仕切部材は該凹部の開放端部に装着されることを特徴とする請求項８または９に記載のインクジェット記録装置。
【請求項１１】
記録媒体は、前記吸引孔に生じる吸引負圧により前記凹部に引き込まれるようにして前記プラテンに密着されることを特徴とする請求項１乃至１０のいずれか１項に記載のインクジェット記録装置。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
担体及びその表面に設けられた描画層を有する文化財画作品に貼り付け、前記描画層を前記担体から転移させるのに使用する表打ち材料であって、積層した透明プラスチックフィルムからなることを特徴とする文化財画作品用表打ち材料。
【請求項２】
請求項１に記載の文化財画作品用表打ち材料において、前記透明プラスチックフィルムは、ポリエステル、ポリスチレン、ポリオレフィン、ポリウレタン、ポリアクリルウレタン、セルローストリアセテート、ポリビニルアルコール、ポリカーボネート、アイオノマー樹脂及びポリ塩化ビニルからなる群から選ばれた少なくとも一種の透明樹脂からなることを特徴とする文化財画作品用表打ち材料。
【請求項３】
請求項１又は２に記載の文化財画作品用表打ち材料において、前記透明プラスチックフィルムの層間に、セルロース誘導体及び／又は布海苔からなる接着層を有し、前記透明プラスチックフィルムは一枚毎に剥離可能であることを特徴とする文化財画作品用表打ち材料。
【請求項４】
請求項１〜３のいずれかに記載の文化財画作品用表打ち材料において、前記透明プラスチックフィルムの厚さは５〜500μmであることを特徴とする文化財画作品用表打ち材料。
【請求項５】
請求項１〜４のいずれかに記載の文化財画作品用表打ち材料において、前記文化財画作品は、(1) 石壁を前記担体として有し、彩色材料を用いて絵画又は模様が描かれた漆喰製下地を前記描画層として有する古墳壁画、(2) 木製材料を前記担体として有し、少なくとも彩色材料を含み、絵画又は模様を有する層を前記描画層として有する板絵、及び(3) 少なくとも肌裏紙を含む裏打ち層を前記担体として有し、少なくとも彩色材料を用いて絵、模様又は文字が描かれた本紙を前記描画層として有する書画のいずれかであることを特徴とする文化財画作品用表打ち材料。
【請求項６】
担体及びその表面に設けられた描画層を有する文化財画作品を修復する方法であって、少なくとも(1) 積層した透明プラスチックフィルムからなる表打ち材料を前記描画層に貼り付ける工程、(2) 前記描画層を前記担体から剥離させて前記表打ち材料上に転移させる工程、(3) 前記表打ち材料上に転移させた描画層に裏打ち層を設ける工程、及び(4) 前記裏打ち層を設けた描画層から前記表打ち材料を除去する工程を有し、(5) 前記工程(2)と(3)の間に、前記表打ち材料に支持させた状態で前記描画層を修復する工程を行うか、(6) 前記工程(4)の後、前記裏打ち層に支持させた状態で前記描画層を修復する工程を行うか、前記工程(5)及び(6)の両方を行うことを特徴とする文化財画作品修復方法。
【請求項７】
請求項６に記載の文化財画作品修復方法において、前記工程(4)の前記表打ち材料の除去を、最外側の前記透明プラスチックフィルムから一枚ずつ順に剥離させることにより行うことを特徴とする方法。
【手続補正書】
【提出日】平成22年1月8日(2010.1.8)
【手続補正１】
【補正対象書類名】特許請求の範囲
【補正対象項目名】請求項５
【補正方法】変更
【補正の内容】
【請求項５】
前記ペーストに含まれるガラス成分が、１０ｗｔ％以下であることを特徴とする請求項１から４までのいずれかに記載のサーマルヘッド。
【手続補正２】
【補正対象書類名】明細書
【補正対象項目名】０００６
【補正方法】変更
【補正の内容】
【０００６】
本発明に係る装置は、サーマルヘッドに関する。このサーマルヘッドは、粒径が０．０５μｍ以上、１．４μｍ未満の金属を主成分とする導電性材料からなるペーストを用いて、スクリーン印刷工法により形成された電極層を備えている。
また、前記導電性材料の粒径が１．０μｍ未満であってもよい。
また、前記導電性材料の粒径が０．１μｍを越えてもよい。
また、前記導電性材料が、Ａｇ、Ａｕ、Ｃｕ、Ｎｉ、Ｗ、Ａｌ、Ｐｔの何れかの金属を主成分としてもよい。
また、前記ペーストに含まれるガラス成分が、１０ｗｔ％以下であってもよい。
また、前記スクリーン印刷工法における焼成工程が、４００℃〜７００℃でなされてもよい。
また、前記電極の材料である前記金属の焼成後の粒径が２．５μｍ以下であってもよい。
また、前記電極は、コモン電極であってもよい。
本発明に係る装置は、印画装置に関する。この印画装置は、上述のサーマルヘッドを備える。
本発明に係る製造方法は、サーマルヘッドの製造方法に関する。この製造方法は、発熱抵抗体上に、粒径が０．０５μｍ以上、１．４μｍ未満の金属を主成分する導電性材料からなるペーストを用いて、スクリーン印刷工法によって、電極層を形成する工程を有する。
【手続補正３】
【補正対象書類名】明細書
【補正対象項目名】００３３
【補正方法】変更
【補正の内容】
【００３３】
本図に示すように、粒径が、１．３μｍでは、比抵抗が５．６μΩ・ｃｍであり、１．４μｍを越えると、比抵抗の上昇の割合が、極端に大きくなる。この観点から、粒径は、１．４μｍ未満とする。又、比抵抗を５．０μΩ・ｃｍ以下に抑えるという観点から、粒径は、１．０μｍ未満とすることが好ましい。比抵抗を抑えることで、発熱抵抗体５２，７２以外の部分で不必要な電力消費を抑えることができる。したがって、モバイル環境で使用される装置のように、使用可能な電力容量に制限がある製品に好適である。また、発熱抵抗体５２，７２以外の部分での発熱を抑えることができるので、耐熱性の観点で、カバーなどの設計の自由度が広がる。
【手続補正４】
【補正対象書類名】明細書
【補正対象項目名】００３５
【補正方法】変更
【補正の内容】
【００３５】
図７は、導電性ペーストのガラス成分（ガラス組成比）と比抵抗の実験結果を示したグラフである。この実験結果が示すように、比抵抗を１０．０μΩ・ｃｍにするためには、ガラス成分は１０ｗｔ％以下にすることが好ましく、さらに、比抵抗を５．０μΩ・ｃｍ以下とするためには、ガラス成分は８ｗｔ％以下にすることがより好ましい。
【手続補正５】
【補正対象書類名】明細書
【補正対象項目名】００３６
【補正方法】変更
【補正の内容】
【００３６】
図８は、導電性ペーストの焼成温度と比抵抗の関係を、４種類の粒径について調べた実験結果を示したグラフである。粒径が、０．１μｍ及び０．５μｍの場合、焼成温度が４００℃〜９００℃の範囲で、比抵抗が５．０μΩ・ｃｍ以下となる。また、粒径が１．４μｍの場合、比抵抗を５．０μΩ・ｃｍ以下とするには、焼成温度は５００℃以上に設定する必要がある。また、粒径が２．５μｍの場合であっても、焼成温度が７００℃であれば、比抵抗を１０．０μΩ・ｃｍに設定することができ、材料の選択の自由度が広がる。
【手続補正６】
【補正対象書類名】図面
【補正対象項目名】図５
【補正方法】変更
【補正の内容】
【図５】
2008279606.tif 000001
【手続補正７】
【補正対象書類名】図面
【補正対象項目名】図７
【補正方法】変更
【補正の内容】
【図７】
2008279606.tif 000002
【手続補正８】
【補正対象書類名】図面
【補正対象項目名】図８
【補正方法】変更
【補正の内容】
【図８】
2008279606.tif 000003
【手続補正書】
【提出日】平成22年4月19日(2010.4.19)
【手続補正１】
【補正対象書類名】特許請求の範囲
【補正対象項目名】請求項１
【補正方法】変更
【補正の内容】
【請求項１】
ポリエチレンテレフタレートのプリフォームを、射出成形時にガラス転移点以下の温度に急冷して、胴部内外の表層が冷却温度と時間との関連から半硬化状態で内部が高温であるうちに上記射出金型と上記射出コアの両方から離型し、そのプリフォームを予備ブローしたのち、本ブロー成形により胴部が薄肉で耐熱性を有するボトルに延伸ブロー成形するにあたり、
上記プリフォームの胴部肉厚を３．０〜４．５ｍｍの範囲に制限し、
上記予備ブローを、上記射出金型及び射出コアから離型後５±０．５秒に、予備ブロー型の温度１１０〜１１７℃、予備ブロー時間０．５〜１．０秒に制限して胴部のみ膨張して行い、
上記本ブロー成形を、予備ブロー型から離型後３〜４秒に、ブロー型の温度１０３〜１０７℃、エアブロー時間６〜９秒に制限して、予後ブロー後のプリフォームを上記ボトルに延伸ブロー成形すると同時に、ボトル胴部及び底部をヒートセットして耐熱性を付与してなることを特徴とする耐熱ボトルの射出延伸ブロー成形方法。
【手続補正２】
【補正対象書類名】明細書
【補正対象項目名】０００４
【補正方法】変更
【補正の内容】
【０００４】
また温調手段として、冷却した温調型に高温離型したプリフォームを収容し、そのプリフォームを予備ブローにより胴部のみを膨張して、胴部肉厚と温度を均一化する方法かあり、さらに温調型と吹込型を並設し、その両型をプリフォームに対し交互に移動して、予備ブローによるプリフォーム調整とボトルの延伸ブロー成形とを行うものもある。
【特許文献１】特開平０４−２１４３２２号公報
【特許文献２】特開昭６０−２４７５４１号公報
【特許文献３】特開昭５８−２０８０２０号公報
【特許文献４】特開昭５８−１９４５２１号公報
【手続補正３】
【補正対象書類名】明細書
【補正対象項目名】０００９
【補正方法】変更
【補正の内容】
【０００９】
上記目的によるこの発明は、ポリエチレンテレフタレートのプリフォームを、射出成形時にガラス転移点以下の温度に急冷して、胴部内外の表層が冷却温度と時間との関連から半硬化状態で内部が高温であるうちに上記射出金型と上記射出コアの両方から離型し、そのプリフォームを予備ブローしたのち、本ブロー成形により胴部が薄肉で耐熱性を有するボトルに延伸ブロー成形するにあたり、
上記プリフォームの胴部肉厚を３．０〜４．５ｍｍの範囲に制限し、上記予備ブローを、上記射出金型及び射出コアから離型後５±０．５秒に、予備ブロー型の温度１１０〜１１７℃、予備ブロー時間０．５〜１．０秒に制限して胴部のみ膨張して行い、上記本ブロー成形を、予備ブロー型から離型後３〜４秒に、ブロー型の温度１０３〜１０７℃、エアブロー時間６〜９秒に制限して、予後ブロー後のプリフォームを上記ボトルに延伸ブロー成形すると同時に、ボトル胴部及び底部をヒートセットして耐熱性を付与してなる、というものである。
【手続補正書】
【提出日】平成22年1月29日(2010.1.29)
【手続補正１】
【補正対象書類名】明細書
【補正対象項目名】００５１
【補正方法】変更
【補正の内容】
【００５１】
次いで、このストリッピングガス（アンモニア蒸気、水蒸気）９８を、３０℃以下、好ましくは２０〜３５℃まで冷却するアンモニア凝縮・回収工程１３０に導入し、塔頂から放出されたアンモニアガスの９５％以上をアンモニア水溶液１３５として回収する。なお、当該水溶液１３５は、必要に応じて、プロセス水で稀釈し、１〜５質量％、好ましくは１．５〜２質量％のアンモニウム水溶液として回収される。
なお、アンモニウム塩水溶液９５において、アンモニアガス９８をストリッピング１２０した残りの水溶液（釜残）９９については、無害の塩（ＮａＣｌ、Ｎａ2ＳＯ4等）を含むだけであるから、過剰のアルカリを酸（ｐＨ調整剤）１４２で中和１４０した後、中和液を問題なく放流１４５することができる。
【手続補正２】
【補正対象書類名】明細書
【補正対象項目名】００７４
【補正方法】変更
【補正の内容】
【００７４】
次いで、撹拌条件下、約１Ｌ／分の空気をバブリングしながら強アルカリ剤９７である２５％の苛性ソーダ（水酸化ナトリウム）を、約１時間かけて連続添加して溶液のｐＨを１３まで高めた。
苛性ソーダの添加に伴い、アンモニウム塩から弱アルカリであるアンモニア９８が遊離する。発生したアンモニアガス９８と水蒸気は、吹き込み空気でストリッピングされ、空気同伴で撹拌槽上部から抜き出した後、コンデンサーで１５〜２０℃まで冷却して凝縮１３０せしめ、アンモニア凝縮液（アンモニア水溶液）１３５を約３６０ｇ回収した。回収凝縮液中のアンモニア濃度は約６．４質量％であり、濾液中（アンモニア水溶液中）に溶解していた塩化アンモニウムの約８８％がアンモニアとして回収できたことがわかった。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
(1) 壁担体上に設けられた漆喰層を有する壁画を挟んで対向配置される一対の平行なレールと、(2) 前記両レール上のほぼ対向位置に設けられ、前記レールに沿って移動自在な一対のスライダと、(3) 前記スライダの各々に支持され、多数のダイヤモンドビーズを鋼製ワイヤに固定したダイヤモンドワイヤの繰り出し及び巻き取りを行って前記ダイヤモンドワイヤを走行させる一対のリールと、(4) 前記リールを駆動させる手段と、(5) 前記レールの壁接触面を通る面とほぼ平行に前記ダイヤモンドワイヤが走行するように前記スライダに設けられたガイドロールとを有し、前記壁担体と前記漆喰層の界面において前記ダイヤモンドワイヤを走行させながら、前記一対のスライダを前記レールに沿って移動させて、前記ダイヤモンドワイヤをその走行方向に対してほぼ直角方向に通過させることを特徴とする壁画漆喰層剥離用ワイヤソー装置。
【請求項２】
壁画の壁担体上に設けられた漆喰層を前記壁担体から剥離させる方法であって、前記壁担体と前記漆喰層の界面において、多数のダイヤモンドビーズが鋼製ワイヤに固定されたダイヤモンドワイヤを走行させながら、その走行方向に対してほぼ直角方向に通過させることを特徴とする壁画漆喰層剥離方法。
【請求項３】
請求項２に記載の壁画漆喰層剥離方法において、駆動手段を具備する一対のリールを、前記壁画を挟んで対向配置し、前記リール間で前記ダイヤモンドワイヤを走行させながら、その走行方向に対してほぼ直角方向に前記リールを移動させることを特徴とする方法。
【請求項４】
請求項３に記載の壁画漆喰層剥離方法において、前記壁画を挟んで一対の平行なレールを対向配置し、前記両レールのほぼ対向位置に前記レールに沿って移動自在な一対のスライダを設け、前記一対のリールを前記スライダの各々に支持させ、前記一対のスライダを前記レールに沿って移動させることにより、前記ダイヤモンドワイヤをその走行方向に対してほぼ直角方向に移動させることを特徴とする方法。
【請求項５】
請求項４に記載の壁画漆喰層剥離方法において、前記ダイヤモンドワイヤをガイドするロールを前記スライダに設け、前記一対のレールの壁接触面を通る面とほぼ平行に前記ダイヤモンドワイヤを走行させることを特徴とする方法。